【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
デュアルセル高速ダウンリンクパケットアクセス（ＤＣ−ＨＳＤＰＡ）をサポートする無線送受信ユニット（ＷＴＲＵ）において実行される方法であって、
サプリメンタリ搬送波をアクティブにするための物理レイヤーメッセージをアンカー搬送波を介して受信するステップと、
前記サプリメンタリ搬送波をアクティブにするための前記物理レイヤーメッセージが前記アンカー搬送波を介して受信されると、前記サプリメンタリ搬送波をアクティブにするステップと、
間欠受信（ＤＲＸ）のアクティベーションを示している物理レイヤーメッセージを前記アンカー搬送波または前記サプリメンタリ搬送波を介して受信するステップと、
前記アンカー搬送波および前記サプリメンタリ搬送波のＤＲＸサイクルが同一のＤＲＸパターンに整列されるように、ＤＲＸのアクティベーションを示している前記物理レイヤーメッセージに応答して、前記アンカー搬送波および前記サプリメンタリ搬送波の両方に前記ＤＲＸパターンを適用するステップであって、およびＤＲＸの前記アクティベーションは、前記アンカー搬送波および前記サプリメンタリ搬送波の両方に共通する、ステップと
を備えたことを特徴とする方法。
【請求項２】
前記アンカー搬送波または前記サプリメンタリ搬送波の少なくとも１つに対するＤＲＸの非アクティベーションを示している物理レイヤーメッセージを前記アンカー搬送波または前記サプリメンタリ搬送波を介して受信するステップと、
ＤＲＸの非アクティベーションを示している前記物理レイヤーメッセージに応答して、前記アンカー搬送波および前記サプリメンタリ搬送波の両方でＤＲＸを非アクティブにするステップと
をさらに備えたことを特徴とする請求項１に記載の方法。
【請求項３】
ＤＲＸのアクティベーションを示している前記物理レイヤーメッセージは高速共有制御チャネル（ＨＳ−ＳＣＣＨ）オーダーであり、およびＤＲＸの非アクティベーションを示している前記物理レイヤーメッセージはＨＳ−ＳＣＣＨオーダーであることを特徴とする請求項２に記載の方法。
【請求項４】
前記サプリメンタリ搬送波を非アクティブにするための物理レイヤーメッセージを前記アンカー搬送波または前記サプリメンタリ搬送波の１つを介して受信するステップと、
前記サプリメンタリ搬送波を非アクティブにするための前記物理レイヤーメッセージが前記アンカー搬送波または前記サプリメンタリ搬送波を介して受信されると、前記サプリメンタリ搬送波を非アクティブにするステップと
をさらに備えたことを特徴とする請求項２に記載の方法。
【請求項５】
前記サプリメンタリ搬送波をアクティブにするための前記物理レイヤーメッセージは高速共有制御チャネル（ＨＳ−ＳＣＣＨ）オーダーであり、および前記サプリメンタリ搬送波を非アクティブにするための前記物理レイヤーメッセージはＨＳ−ＳＣＣＨオーダーであることを特徴とする請求項４に記載の方法。
【請求項６】
前記サプリメンタリ搬送波の非アクティベーションで、前記サプリメンタリ搬送波に関連付けられたハイブリッド自動再送要求（ＨＡＲＱ）バッファをフラッシュするステップをさらに備えたことを特徴とする請求項４に記載の方法。
【請求項７】
前記サプリメンタリ搬送波を再アクティブにするための物理レイヤー信号を前記アンカー搬送波を介して受信するステップと、
前記サプリメンタリ搬送波を再アクティブにするための前記物理レイヤー信号が前記アンカー搬送波を介して受信されると、前記サプリメンタリ搬送波を再アクティブにするステップと、
前記サプリメンタリ搬送波を再アクティブにした後に受信されたオリジナルデータとして前記サプリメンタリ搬送波を介して受信されたデータを処理するステップと
をさらに備えたことを特徴とする請求項４に記載の方法。
【請求項８】
前記ＤＲＸパターンの間に、前記アンカー搬送波または前記サプリメンタリ搬送波でデータを受信するステップと、
前記アンカー搬送波または前記サプリメンタリ搬送波で前記データを受信すると、ＤＲＸを非アクティブにし、およびＩｎａｃｔｉｖｉｔｙ＿Ｔｈｒｅｓｈｏｌｄ＿ｆｏｒ＿ＵＥ＿ＤＲＸ＿ｃｙｃｌｅの継続期間の間、前記アンカー搬送波または前記サプリメンタリ搬送波の少なくとも１つを監視するステップと
をさらに備えたことを特徴とする請求項１に記載の方法。
【請求項９】
前記Ｉｎａｃｔｉｖｉｔｙ＿Ｔｈｒｅｓｈｏｌｄ＿ｆｏｒ＿ＵＥ＿ＤＲＸ＿ｃｙｃｌｅの前記継続期間の後、前記アンカー搬送波および前記サプリメンタリ搬送波に対する前記ＤＲＸパターンを継続するステップをさらに備えたことを特徴とする請求項８に記載の方法。
【請求項１０】
デュアルセル高速ダウンリンクパケットアクセス（ＤＣ−ＨＳＤＰＡ）をサポートする無線送受信ユニット（ＷＴＲＵ）であって、
サプリメンタリ搬送波をアクティブにするための物理レイヤーメッセージをアンカー搬送波を介して受信し、
間欠受信（ＤＲＸ）のアクティベーションを示している物理レイヤーメッセージを前記アンカー搬送波または前記サプリメンタリ搬送波を介して受信する
ように構成された受信機と、
前記サプリメンタリ搬送波をアクティブにするための前記物理レイヤーメッセージが前記アンカー搬送波を介して受信されると、前記サプリメンタリ搬送波をアクティブにし、
前記アンカー搬送波および前記サプリメンタリ搬送波のＤＲＸサイクルが同一のＤＲＸパターンに整列されるように、ＤＲＸのアクティベーションを示している前記物理レイヤーメッセージに応答して、前記アンカー搬送波および前記サプリメンタリ搬送波の両方に前記ＤＲＸパターンを適用し、およびＤＲＸの前記アクティベーションは、前記アンカー搬送波および前記サプリメンタリ搬送波の両方に共通する
ように構成されたコントローラーと
を備えたことを特徴とするＷＴＲＵ。
【請求項１１】
前記受信機は、前記アンカー搬送波または前記サプリメンタリ搬送波の少なくとも１つに対するＤＲＸの非アクティベーションを示している物理レイヤーメッセージを前記アンカー搬送波または前記サプリメンタリ搬送波を介して受信するようにさらに構成され、および
前記コントローラーは、ＤＲＸの非アクティベーションを示している前記物理レイヤーメッセージに応答して、前記アンカー搬送波および前記サプリメンタリ搬送波の両方でＤＲＸを非アクティブにするようにさらに構成されたことを特徴とする請求項１０に記載のＷＴＲＵ。
【請求項１２】
ＤＲＸのアクティベーションを示している前記物理レイヤーメッセージは高速共有制御チャネル（ＨＳ−ＳＣＣＨ）オーダーであり、およびＤＲＸの非アクティベーションを示している前記物理レイヤーメッセージはＨＳ−ＳＣＣＨオーダーであることを特徴とする請求項１１に記載のＷＴＲＵ。
【請求項１３】
前記受信機は、前記サプリメンタリ搬送波を非アクティブにするための物理レイヤーメッセージを前記アンカー搬送波または前記サプリメンタリ搬送波の１つを介して受信するようにさらに構成され、および
前記コントローラーは、前記サプリメンタリ搬送波を非アクティブにするための前記物理レイヤーメッセージが前記アンカー搬送波または前記サプリメンタリ搬送波を介して受信されると、前記サプリメンタリ搬送波を非アクティブにするようにさらに構成されたことを特徴とする請求項１１に記載のＷＴＲＵ。
【請求項１４】
前記サプリメンタリ搬送波をアクティブにするための前記物理レイヤーメッセージは高速共有制御チャネル（ＨＳ−ＳＣＣＨ）オーダーであり、および前記サプリメンタリ搬送波を非アクティブにするための前記物理レイヤーメッセージはＨＳ−ＳＣＣＨオーダーであることを特徴とする請求項１３に記載のＷＴＲＵ。
【請求項１５】
前記コントローラーは、前記サプリメンタリ搬送波の非アクティベーションで、前記サプリメンタリ搬送波に関連付けられたハイブリッド自動再送要求（ＨＡＲＱ）バッファをフラッシュするようにさらに構成されたことを特徴とする請求項１３に記載のＷＴＲＵ。
【請求項１６】
前記受信機は、前記サプリメンタリ搬送波を再アクティブにするための物理レイヤー信号を前記アンカー搬送波を介して受信するようにさらに構成され、および
前記コントローラーは、
前記サプリメンタリ搬送波を再アクティブにするための前記物理レイヤー信号が前記アンカー搬送波を介して受信されると、前記サプリメンタリ搬送波を再アクティブにし、
前記サプリメンタリ搬送波を再アクティブにした後に受信されたオリジナルデータとして前記サプリメンタリ搬送波を介して受信されたデータを処理する
ようにさらに構成されたことを特徴とする請求項１３に記載のＷＴＲＵ。
【請求項１７】
前記受信機は、前記ＤＲＸパターンの間に、前記アンカー搬送波または前記サプリメンタリ搬送波でデータを受信するようにさらに構成され、ならびに
前記コントローラーは、前記アンカー搬送波または前記サプリメンタリ搬送波で前記データを受信すると、ＤＲＸを非アクティブにし、およびＩｎａｃｔｉｖｉｔｙ＿Ｔｈｒｅｓｈｏｌｄ＿ｆｏｒ＿ＵＥ＿ＤＲＸ＿ｃｙｃｌｅの継続期間の間、前記アンカー搬送波または前記サプリメンタリ搬送波の少なくとも１つを監視するようにさらに構成されたことを特徴とする請求項１０に記載のＷＴＲＵ。
【請求項１８】
前記コントローラーは、前記Ｉｎａｃｔｉｖｉｔｙ＿Ｔｈｒｅｓｈｏｌｄ＿ｆｏｒ＿ＵＥ＿ＤＲＸ＿ｃｙｃｌｅの前記継続期間の後、前記アンカー搬送波および前記サプリメンタリ搬送波に対する前記ＤＲＸパターンを継続するようにさらに構成されたことを特徴とする請求項１７に記載のＷＴＲＵ。